(57)【要約】  作業負担を低減し、確実に分別可能なシート回収装置を提供する。  シート回収装置は、シートの種別を判別する判別部と、シートを収容する複数の容器と、前記判別部による判別結果に基づいて、前記複数の容器の中からいずれか一の容器にシートを搬送する搬送部と、前記容器へのシートの収容量の経過情報を蓄積する蓄積部と、前記経過情報に基づいて前記容器に収容されたシートの収容量が第１所定量に達する時期を予測し、当該予測した時期を端末機へ通知する通知部と、を有する。
2017145727.tif 000002
【特許請求の範囲】
【請求項１】
シートの種別を判別する判別部と、
シートを収容する複数の容器と、
前記判別部による判別結果に基づいて、前記複数の容器の中からいずれか一の容器にシートを搬送する搬送部と、
前記容器へのシートの収容量の経過情報を蓄積する蓄積部と、
前記経過情報に基づいて前記容器に収容されたシートの収容量が第１所定量に達する時期を予測し、当該予測した時期を端末機へ通知する通知部と、を有することを特徴とするシート回収装置。
【請求項２】
請求項１に記載のシート回収装置において、
前記容器に収容されたシートの収容量を初期化する初期化部を有し、
前記通知部は、前記初期化部により初期化されたときに、前記予測した時期を通知することを特徴とするシート回収装置。
【請求項３】
請求項１または請求項２に記載のシート回収装置において、
前記容器に収容されたシートの収容量が第２所定量に達したことを計測する計測部を有し、
前記通知部は、前記容器に収容されたシートの収容量が第２所定量に達したときに、前記予測した時期を通知することを特徴とするシート回収装置。
【請求項４】
請求項１から請求項３のいずれか一項に記載のシート回収装置において、
前記容器へのシートの収容量の経過情報をシートの種別ごとに蓄積する蓄積部と、
前記蓄積部に蓄積された前記経過情報に基づいて、前記複数の容器のそれぞれが収容するシートの種別を割り当てる割り当て部と、を有することを特徴とするシート回収装置。
【請求項５】
シート回収装置と、前記シート回収装置に接続されたホスト装置と、を有するシート回収システムであって、
前記シート回収装置は、
シートの種別を判別する判別部と、
シートを収容する複数の容器と、
前記判別部による判別結果に基づいて、前記複数の容器の中からいずれか一の容器にシートを搬送する搬送部と、を有し、
前記ホスト装置は、
前記容器へのシートの収容量の経過情報を蓄積する蓄積部と、
前記経過情報に基づいて前記容器に収容されたシートの収容量が第１所定量に達する時期を予測し、当該予測した時期を端末機へ通知する通知部と、を有することを特徴とするシート回収システム。
【請求項６】
シートの種別を判別し、
判別結果に基づいて、シートを収容する複数の容器の中からいずれか一の容器にシートを搬送し、
前記容器へのシートの収容量の経過情報を蓄積し、
前記経過情報に基づいて前記容器に収容されたシートの収容量が第１所定量に達する時期を予測し、当該予測した時期を端末機へ通知することを特徴とするシート回収方法。
【発明の詳細な説明】
【技術分野】
【０００１】
本発明は、シート回収装置、シート回収システム及びシート回収方法に関する。
【背景技術】
【０００２】
従来、機密文書を古紙として排出する機密文書排出側と、破砕運搬車などを所有し機密を保持しつつ機密文書を破砕、運搬する破砕運搬処理側と、破砕された古紙を溶解し再パルプ化する設備を有するとともに再生紙を生産する紙再生側と、再生紙により各種再生製品を生産する再生製品生産側とをネットワークで互いに接続し、機密文書の排出から再生製品の生産、使用までのスケジュールを一元的に管理する機密古紙回収再生システムが知られている（例えば、特許文献１参照）。
【先行技術文献】
【特許文献】
【０００３】
【特許文献１】特開２００５−４１６６４号公報
【発明の概要】
【発明が解決しようとする課題】
【０００４】
ところで、品質が安定した再生紙の製造を行うため、排出された文書を紙種毎に分別する必要がある。しかしながら、上記システムでは、排出された古紙の分別は作業者自身が行うため、作業負担が大きく、また誤分別が発生しやすい、という課題があった。
【課題を解決するための手段】
【０００５】
本発明は、上述の課題の少なくとも一部を解決するためになされたものであり、以下の形態または適用例として実現することが可能である。【０００６】
［適用例１］本適用例にかかるシート回収装置は、シートの種別を判別する判別部と、シートを収容する複数の容器と、前記判別部による判別結果に基づいて、前記複数の容器の中からいずれか一の容器にシートを搬送する搬送部と、前記容器へのシートの収容量の経過情報を蓄積する蓄積部と、前記経過情報に基づいて前記容器に収容されたシートの収容量が第１所定量に達する時期を予測し、当該予測した時期を端末機へ通知する通知部と、を有することを特徴とする。【０００７】
この構成によれば、シートは、種別毎に分別されて容器に収容されるため、作業者が分別する必要が無く、誤分別の発生を防止することができる。また、容器に収容されたシートの回収時期の予測通知が適時に行われるため、作業効率を向上させることができる。【０００８】
［適用例２］上記適用例にかかるシート回収装置では、前記容器に収容されたシートの収容量を初期化する初期化部を有し、前記通知部は、前記初期化部により初期化されたときに、前記予測した時期を通知することを特徴とする。【０００９】
この構成によれば、シートの収容量が初期化された際に、次回の回収タイミングを知ることができ、作業効率を高めることができる。【００１０】
［適用例３］上記適用例にかかるシート回収装置では、前記容器に収容されたシートの収容量が第２所定量に達したことを計測する計測部を有し、前記通知部は、前記容器に収容されたシートの収容量が第２所定量に達したときに、前記予測した時期を通知することを特徴とする。【００１１】
この構成によれば、計測部による実測に基づいて予測通知が行われるため、より正確な回収タイミングを知ることができ、作業効率を高めることができる。【００１２】
［適用例４］上記適用例にかかるシート回収装置は、前記容器へのシートの収容量の経過情報をシートの種別ごとに蓄積する蓄積部と、前記蓄積部に蓄積された前記経過情報に基づいて、前記複数の容器のそれぞれが収容するシートの種別を割り当てる割り当て部と、を有することを特徴とする。【００１３】
この構成によれば、種別毎に分別されるシートの収容量に応じて適切に容器の数が割り当てられるため、シートの収容処理を効率良く行うことができる。【００１４】
［適用例５］本適用例にかかるシート回収システムは、シート回収装置と、前記シート回収装置に接続されたホスト装置と、を有するシート回収システムであって、前記シート回収装置は、シートの種別を判別する判別部と、シートを収容する複数の容器と、前記判別部による判別結果に基づいて、前記複数の容器の中からいずれか一の容器にシートを搬送する搬送部と、を有し、前記ホスト装置は、前記容器へのシートの収容量の経過情報を蓄積する蓄積部と、前記経過情報に基づいて前記容器に収容されたシートの収容量が第１所定量に達する時期を予測し、当該予測した時期を端末機へ通知する通知部と、を有することを特徴とする。【００１５】
この構成によれば、シートは、種別毎に分別されて容器に収容されるため、作業者が分別する必要が無く、誤分別の発生を防止することができる。また、容器に収容されたシートの回収時期の予測通知が適時に行われるため、作業効率を向上させることができる。【００１６】
［適用例６］本適用例にかかるシート回収方法は、シートの種別を判別し、判別結果に基づいて、シートを収容する複数の容器の中からいずれか一の容器にシートを搬送し、前記容器へのシートの収容量の経過情報を蓄積し、前記経過情報に基づいて前記容器に収容されたシートの収容量が第１所定量に達する時期を予測し、当該予測した時期を端末機へ通知することを特徴とする。【００１７】
この構成によれば、シートは、種別毎に分別されて容器に収容されるため、作業者が分別する必要が無く、誤分別の発生を防止することができる。また、容器に収容されたシートの回収時期の予測通知が適時に行われるため、作業効率を向上させることができる。
【図面の簡単な説明】
【００１８】
【図１】第１実施形態にかかるシート回収装置の構成を示す概略図。
【図２】第１実施形態にかかるシート回収装置の制御部の構成を示すブロック図。
【図３】第１実施形態にかかるシート回収装置の処理構成を示すフローチャート。
【図４】第１実施形態にかかるシート回収装置の分別機能を示すフローチャート。
【図５】第１実施形態にかかる通知機能の全体構成を示すフローチャート。
【図６】第１実施形態にかかる初期化時の通知処理を示す模式図。
【図７】第１実施形態にかかる初期化時の通知処理の通知例を示す模式図。
【図８】第１実施形態にかかる収容量に応じた通知処理を示すフローチャート。
【図９】第１実施形態にかかる予測時期を通知する通知機能を示すフローチャート。
【図１０】第１実施形態にかかる通知処理（４日前）を示す模式図。
【図１１】第１実施形態にかかる通知処理（４日前）の通知例を示す模式図。
【図１２】第１実施形態にかかる通知処理（９０％）を示す模式図。
【図１３】第１実施形態にかかる通知処理（９０％）の通知例を示す模式図。
【図１４】第１実施形態にかかる通知処理（満杯）を示す模式図。
【図１５】第１実施形態にかかる通知処理（満杯）の通知例を示す模式図。
【図１６】第２実施形態にかかるシート回収装置の構成を示す概略図。
【図１７】第２実施形態にかかるシート回収装置の構成を示すブロック図。
【図１８】第２実施形態にかかる容器の割り当て方法を説明する説明図。
【図１９】第２実施形態にかかる収容量に応じた通知処理を示すフローチャート。
【図２０】第３実施形態にかかるシート回収システムの構成を示す概略図。
【発明を実施するための形態】
【００１９】
以下、本発明の第１から第３実施形態について、図面を参照して説明する。なお、以下の各図においては、各部材等を認識可能な程度の大きさにするため、各部材等の尺度を実際とは異ならせて示している。
【００２０】
（第１実施形態）
まず、シート回収装置について説明する。図１はシート回収装置の構成を示す概略図であり、図２はシート回収装置の制御部の構成を示すブロック図である。
【００２１】
図１に示すように、シート回収装置１０は、シートＰが載置されるトレー２４０と、トレー２４０からシートＰを搬送する搬送部２３０と、搬送されるシートＰの種別を検出する種別検出部２１０と、種別毎にシートＰを収容する複数（本実施形態では３個）の容器３０１，４０１，５０１と、各容器３０１，４０１，５０１に設けられた計測部２２０と、制御部１００（図２参照）等を備えている。
【００２２】
トレー２４０は、シートＰを載置するものである。シートＰは、古紙等であり、例えば、オフィスで現在主流となっているＡ４サイズの用紙や、上質紙、カーボン紙、ビニールコーティング紙等である。なお、本実施形態では、３種類（種別Ａ，Ｂ，Ｃ）のシートＰをトレー２４０から搬送させ、シートＰの種別毎に各容器３０１，４０１，５０１に収容させる場合について説明する。
【００２３】
搬送部２３０は、シートＰをトレー２４０から各容器３０１，４０１，５０１に搬送するものである。搬送部２３０は、トレー２４０からシートＰを搬出するピックアップローラー２３０ａと、トレー２４０から搬出されたシートＰを搬送する複数のローラー対２３０ｂ等を備えている。搬送部２３０は制御部１００に接続され、制御部１００により駆動制御される。ローラー対２３０ｂでは、一方が駆動ローラーであり、他方が従動ローラーである。
【００２４】
種別検出部２１０は、搬送されるシートＰの種別を検出するものである。種別検出部２１０は制御部１００に接続されている。種別検出部２１０は、シートＰからの反射光を受光する受光素子（例えば、ＣＣＤセンサー、ＣＭＯＳセンサー等）を備えている。そして、種別検出部２１０の受光素子でシートＰの濃淡コントラストの画像情報（検出データ）として撮像し、制御部１００において、予め用意してある評価データとしての紙種毎の濃淡コントラストの画像情報と比較してシートＰの種別を判別する構成を有している。なお、種別検出部２１０は、上記構成に限定されず、例えば、シートＰに照射した透過光量を検出し、検出された透過光量に基づいてシートＰの種別を判別する構成であってもよいし、シートＰが反射する光または吸収する近赤外光のスペクトルを検出し、近赤外光スペクトル分析に基づいてシートＰの種別を判別する構成であってもよい。さらには、シートＰから発生する超音波を受信し、その周波数スペクトルを分析することにより、シートＰの紙種を判別する構成であっても良い。
【００２５】
種別検出部２１０は、トレー２４０と各容器３０１，４０１，５０１との間のシートＰの搬送経路上に配置されている。なお、本実施形態では、シートＰの両面にそれぞれ対向して種別検出部２１０（２１０ａ，２１０ｂ）が配置され、シートＰの各面に対して検出可能に構成されている。
【００２６】
各容器３０１，４０１，５０１は、種別毎に分別されたシートＰを収容するものである。例えば、種別Ａと判別されたシートＰは、容器３０１に収容される。また、種別Ｂと判別されたシートＰは、容器４０１に収容され、種別Ｃと判別されたシートＰは、容器５０１に収容される。なお、搬送部２３０は、シートＰの種別の判別に基づいて、シートＰをいずれか一つの容器３０１，４０１，５０１に搬送するために、シートＰの搬送経路を切り換える切り換え搬送部（図示せず）を備え、制御部１００により駆動制御される。
【００２７】
計測部２２０は、各容器３０１，４０１，５０１に設けられ、各容器３０１，４０１，５０１におけるシートＰの通過枚数を計測するものである。計測部２２０は、制御部１００に接続されている。計測部２２０は、例えば、シートＰの通過枚数を計測するセンサーとカウンター機能であり、例えば、光を照射する投光器と照射された光を受光する受光器とを備え、シートＰが投光器と受光器との間を搬送した際、光が遮られることでシートＰが通過したことを検出して枚数を計測することができる。なお、センサーを用いることなく、制御部１００により、各容器３０１，４０１，５０１に搬送するシートＰの枚数を計数してもよい。また、各容器３０１，４０１，５０１の収容量が後述する第２所定量に達したことを検出するセンサーにより計測部２２０を構成してもよい。
【００２８】
次いで、シート回収装置１０の制御部１００の構成について説明する。図２に示すように、制御部１００は、制御プログラム等が記憶された記憶部１２０と、制御プログラムを実行して各部を制御するＣＰＵ１１０と、通信部１３０と、入力部１４０と、表示部１４１と、搬送駆動部１５０と、計時機能部１６０等を備えている。
【００２９】
入力部１４０は、ユーザーからの入力操作のためのキー（ボタン）類を有する。また、表示部１４１は、各種情報を表示するものである。なお、入力部１４０と表示部１４１とが、例えば、タッチパネルとして一体構成された構成であってもよい。
【００３０】
通信部１３０は、パーソナルコンピューターや携帯機器等の端末機Ｍに対して通信するものである。例えば、通信部１３０から端末機Ｍに向けて、各容器３０１，４０１，５０１のシートＰの収容量の情報や、各容器３０１，４０１，５０１の回収時期の予測通知等を送信する。
【００３１】
搬送駆動部１５０は、搬送部２３０（ピックアップローラー２３０ａ、ローラー対２３０ｂの駆動ローラー）や切り換え搬送部を駆動制御する。
【００３２】
計時機能部１６０は、時間を計測可能なストップウォッチ機能や日時を計測可能なカレンダー機能等を備えている。
【００３３】
また、記憶部１２０には蓄積部１２１が含まれている。蓄積部１２１は、容器３０１，４０１，５０１へのシートＰの収容量の経過情報を蓄積するものである。具体的には、各容器３０１，４０１，５０１に配置された計測部２２０によって計測された計測データに基づいて、ＣＰＵ１１０においてシートＰの枚数の演算処理を行い、演算結果を蓄積部１２１に蓄積する。この際、計時機能部１６０のストップウォッチ機能やカレンダー機能を併用して、時間に対するシートＰの枚数（収容量）の情報を蓄積する。
【００３４】
また、ＣＰＵ１１０は、判別部１１１を備えている。判別部１１１は、シートＰの種別を判別するものである。具体的には、種別検出部２１０による検出データに基づいて、シートＰの種別を判定する。ＣＰＵ１１０では、検出されたデータと、予めシートＰの種別毎にテーブル化された種別標準データ１２２と、を比較して判別することにより、シートＰを紙種別毎に分別することができる。
【００３５】
また、ＣＰＵ１１０は、通知部１１２を備え、端末機Ｍ向けの通知作成処理を行う。通知部１１２は、蓄積部１２１のシートＰの収容量の経過情報に基づいて、容器３０１，４０１，５０１に収容されたシートＰの収容量が第１所定量に達する時期を予測し、当該予測した時期を端末機Ｍへ通知する。例えば、電子メールの送受信に用いられるプロトコル（例えば、ＳＭＴＰ（Simple Mail Transfer Protocol）、ＰＯＰ３（Post Office Protocol version 3）、ＩＭＡＰ４（Internet Message Access Protocol 4））に従って通知作成処理が実施され、予め設定された通知先データを参照し、通信部１３０を介して対応する端末機Ｍに通知する。
その他の利便性が高い電子メールプロトコルとしては、電子メールスケジュール通知がある。これは、ユーザーがiCalendar（国際標準RFC5545）をサポートしたソフトウェアをインターネット端末にインストールしているとき、シート回収に関する予定の日時や告知を、電子メール経由でユーザーのスケジュール管理ソフトへ登録し、ユーザーへ将来の予定を提案することができる。なお、図２の例では、シート回収装置１０から一つ（１台）の端末機Ｍに接続された例を示しているが、この構成に限定されず、シート回収装置１０から複数の端末機Ｍに向けて通信可能である。
なお、第１所定量は、容器３０１，４０１，５０１の状態が、各容器が許容する収容量に対して１００％（満杯）となる予測量や、容器３０１，４０１，５０１が許容する収容量に対して９０％となる予測量、また、容器３０１，４０１，５０１が満杯となる所定日数前の予測量等、ユーザーが適宜設定することができる。これにより、ユーザーは予め第１所定量に対応する時期に通知を受けることにより、適したタイミングで回収作業を行うことが可能となる。
【００３６】
また、ＣＰＵ１１０は、初期化部１１３を有し、例えば、容器３０１，４０１，５０１を回収した際（容器３０１，４０１，５０１の中身を空にした際）、容器３０１，４０１，５０１に収容されたシートＰの収容量を初期化（例えば、収容枚数を０枚とする）する。このとき、計時機能部１６０もリセットが実行され、時間がゼロに設定される。そして、通知部１１２は、初期化部１１３により初期化されたときに、予測した時期を通知する。例えば、各容器３０１，４０１，５０１が許容する収容量に対して１００％（満杯）となる予測量に達する時期を予測した通知を作成し、ユーザーの端末機Ｍに通知（送信）する。これにより、ユーザーは、次回の回収予定日時を知ることができ、作業効率を高めることができる。
【００３７】
また、通知部１１２では、容器３０１，４０１，５０１に収容されたシートＰの収容量が第２所定量に達したときに、予測した時期を通知する。すなわち、実測データに基づいて、第１所定量に対応する第２所定量に達したときに回収日時等を予測した通知を行う。具体的には、計測部２２０により計測された計測データに基づいて、第２所定量に達した場合、例えば、各容器３０１，４０１，５０１が許容する収容量に対して９０％の量に達した場合や、シートＰが所定の枚数に達した場合等に通知する。なお、本実施形態では、第２所定量を各容器３０１，４０１，５０１が許容する収容量に対して１００％（満杯）量に設定し、第２所定量に達した場合にも端末機Ｍに通知する。
【００３８】
次に、シート回収装置におけるシート回収方法について説明する。シート回収方法は、シートの種別を判別し、判別結果に基づいて、シートを収容する複数の容器の中からいずれか一の容器にシートを搬送し、容器へのシートの収容量の経過情報を蓄積し、経過情報に基づいて容器に収容されたシートの収容量が第１所定量に達する時期を予測し、当該予測した時期を端末機へ通知するものである。以下、シート回収方法にかかる各処理方法について説明する。図３は、シート回収装置の処理構成を示すフローチャートである。図３に示すように、シート回収方法は、ステップＳ１００の分別処理とステップＳ２００の通知処理とにより実行される。以下、各処理内容について説明する。
【００３９】
まず、シート回収装置のシートの分別処理について説明する。図４はシート回収装置の分別処理を示すフローチャートである。なお、本実施形態では、３種類のシートＰ（種別Ａ，Ｂ，Ｃ）をトレー２４０から搬送させた場合におけるシート分別機能について説明する。
【００４０】
図４に示すように、ステップＳ１０１では、シートＰの搬送を行う。具体的には、ピックアップローラー２３０ａを駆動させ、トレー２４０に載置されたシートＰをトレー２４０から搬出させる。また、各ローラー対２３０ｂを駆動させ、シートＰを搬送する。
【００４１】
次いで、ステップＳ１０２では、シートＰの種別を検出する。具体的には、種別検出部２１０を駆動させ、搬送されたシートＰを検出する。そして、検出された検出データは制御部１００に送信される。
【００４２】
次いで、ステップＳ１０３では、シートＰが種別Ａであるか否かを判別する。具体的には、制御部１００において、検出された検出データと、種別標準データ１２２とを比較することにより判別する。そして、シートＰが種別Ａである場合（ＹＥＳ）にはステップＳ１０４に移行する。一方、シートＰが種別Ａでない場合（ＮＯ）にはステップＳ１０７に移行する。
【００４３】
ステップＳ１０４に移行したした場合には、搬送部２３０の切り換え搬送部を制御し、シートＰを容器３０１に向けて搬送する。そして、計測処理を行う。具体的には、計測部２２０を駆動させ、計測データを取得する。取得した計測データは制御部１００に送信される。
【００４４】
次いで、ステップＳ１０５では、蓄積処理を行う。具体的には、送信された計測データを、容器３０１へのシートＰの収容量の経過情報として蓄積部１２１で蓄積する。これにより、種別ＡのシートＰと容器３０１とが関連付けられた経過情報が蓄積部１２１に蓄積される。
【００４５】
次いで、ステップＳ１０６では、シートＰを容器３０１に収容する。これによりシートＰが種別Ａとして分別され収容される。
【００４６】
また、ステップＳ１０７に移行した場合は、シートＰが種別Ｂであるか否かを判別する。具体的には、制御部１００において、検出された検出データと、種別標準データ１２２とを比較することにより判別する。そして、シートＰが種別Ｂである場合（ＹＥＳ）にはステップＳ１０８に移行する。一方、シートＰが種別Ｂでない場合（ＮＯ）にはステップＳ１１１に移行する。
【００４７】
ステップＳ１０８に移行したした場合には、搬送部２３０の切り換え搬送部を制御し、シートＰを容器４０１に向けて搬送する。そして、計測処理を行う。具体的には、計測部２２０を駆動させ、計測データを取得する。取得した計測データは制御部１００に送信される。
【００４８】
次いで、ステップＳ１０９では、蓄積処理を行う。具体的には、送信された計測データを、容器４０１へのシートＰの収容量の経過情報として蓄積部１２１で蓄積する。これにより、種別ＢのシートＰと容器４０１とが関連付けられた経過情報が蓄積部１２１に蓄積される。
【００４９】
次いで、ステップＳ１１０では、シートＰを容器４０１に収容する。これによりシートＰが種別Ｂとして分別され、収容される。
【００５０】
また、ステップＳ１１１に移行したした場合には、搬送部２３０の切り換え搬送部を制御し、シートＰを容器５０１に向けて搬送する。そして、計測処理を行う。具体的には、計測部２２０を駆動させ、計測データを取得する。取得した計測データは制御部１００に送信される。
【００５１】
次いで、ステップＳ１１２では、蓄積処理を行う。具体的には、送信された計測データを、容器５０１へのシートＰの収容量の経過情報として蓄積部１２１で蓄積する。これにより、種別ＣのシートＰと容器５０１とが関連付けられた経過情報が蓄積部１２１に蓄積される。
【００５２】
次いで、ステップＳ１１３では、シートＰを容器５０１に収容する。これによりシートＰが種別Ｃとして分別され収容される。
【００５３】
次に、シート回収装置の通知処理について説明する。図５は通知処理の全体構成を示すフローチャートである。
【００５４】
図５に示すように、まず、ステップＳ２０１では、初期化処理を実行する。具体的には、容器３０１，４０１，５０１からシートＰを回収した際（容器３０１，４０１，５０１に収容されていたシートＰをユーザーが取り出して容器を空にした際）、容器３０１，４０１，５０１に収容されたシートＰの収容量（シートＰの枚数）を初期化（０枚）する。このとき、計時機能部１６０をリセットが実行され、時間がゼロに設定される。
【００５５】
次いで、ステップＳ２０２では、初期化時の通知処理を実行する。具体的には、容器３０１，４０１，５０１に収容されたシートＰの収容量が第１所定量に達する時期を予測し、予測した時期を端末機Ｍへ通知する。本実施形態では、第１所定量を容器の許容量の１００％（満杯）と設定した場合の通知処理について説明する。図６は初期化時の通知処理を示す模式図であり、図７は初期化時の通知処理の通知例を示す模式図である。
【００５６】
図６に示すように、初期化処理した際、過去に計測された蓄積データに基づいて、次回の第１所定量（満杯）に達する日時（次回の回収日時）を予測する。蓄積データは、蓄積部１２１に既に蓄積されているシートＰの収容量の経過情報である。なお、本実施形態では、種別ＢのシートＰの経過情報（図中の「△」）を示している。そして、次回の回収日の日時の予測は、蓄積部１２１の経過情報に基づき、一般線形モデルの単回帰分析を利用して、一次関数の単回帰直線である予想線Ｔを算出する。そして、第１所定量と予想線Ｔとの交点で算出される日時が予測日時（次回の回収予定日時）として算出される。図６の例では、８月２０日１５時に初期化処理が実行され、次回の回収予定日時は９月１２日１１時である。
【００５７】
そして、端末機Ｍ向けの通知作成処理が行われる。具体的には、図７に示すように、記憶部に登録されているユーザーの電子メールアドレスに、宛名、送信元となるシート回収装置１０及び管理番号、次回の回収予測日時が明示された電子メールＥが作成される。そして、作成された電子メールＥはユーザーの端末機Ｍに通知（送信）される。これにより、ユーザーは、初期化された段階で次回の回収予定日時を知ることができ、作業効率を高めることができる。なお、電子メールＥの内容は、適宜設定することができる。
【００５８】
次に、ステップＳ３００における収容量に応じた通知処理について説明する。図８は、収容量に応じた通知処理を示すフローチャートである。収容量に応じた通知処理では、容器４０１に収容されたシートＰの収容量が第１所定量に達する時期を予測し、端末機Ｍに対して予測した時期を通知（予測通知）する。なお、本実施形態の第１所定量は、シートＰの収容量が１００％（容器４０１が満杯）、シートＰの収容量が９０％（容器４０１が満杯に対して９０％）、シートＰの収容量が１００％になる所定日前の収容量（本実施形態ではシートＰの収容量が１００％になる４日前）である場合について説明する。
そして、通知処理（予測通知）は、初期化処理されてから計測部２２０の計測処理によって蓄積されたシートＰの収容量の経過情報に基づいて、シートＰの収容量の予測解析（単回帰分析）を行い、シートＰの収容量の予想線Ｔ’（図１０参照）を算出する。これにより、容器４０１における第１所定量（シートＰの収容量が１００％（容器４０１が満杯）、シートＰの収容量が９０％（容器４０１が満杯に対して９０％）、シートＰの収容量が１００％になる所定日数前の収容量（本実施形態ではシートＰの収容量が１００％になる４日前））が算出される。
そして、予測された各第１所定量に対応する実測値が第２所定量に達したとき、すなわち、計測部２２０で取得した計測データが各第１所定量に対応する第２所定量に達したとき、上記予測した時期が明示された電子メールＥを作成し、ユーザーの端末機Ｍに送信する。以下、具体的に説明する。なお、シートＰの収容量の予想線Ｔ’は計測部２２０による実測データに基づいて算出されるため、実測データの蓄積状況により、予想線Ｔ’の直線の傾きは変化する。
【００５９】
図８に示すように、ステップＳ１００において分別処理（図４参照）が行われる中で、収容量に応じた通知処理が行われる。具体的には、ステップＳ３０１において容器４０１が満杯であるか否かを判断する。具体的には、シートＰの蓄積処理から得られた経過情報に基づいて判断される。そして、満杯である場合（ＹＥＳ）にはステップＳ３０２に移行し、満杯でない場合（ＮＯ）はステップＳ４００に移行し、満杯予測の通知処理を行う。
【００６０】
次に、ステップＳ４００における満杯予測の通知処理について説明する。図９は、満杯予測を通知する通知処理を示すフローチャートである。
【００６１】
図９に示すように、ステップＳ４０１では、容器４０１が満杯となるまで４日前であるか否かを判断する。すなわち、容器４０１が満杯となるまで４日前となる収容量に達したか否かを判断する。図１０は、通知処理（満杯から４日前）を示す模式図である。図１０に示すように、前回の初期化処理以降に計測部２２０によって取得された計測データ（図中の「黒三角」）を蓄積する蓄積部１２１の経過情報に基づいて判断する。そして、容器４０１が満杯となるまで４日前となる収容量に達した場合（ＹＥＳ）は、ステップＳ４０２に移行し、容器４０１が満杯となるまで４日前となる収容量に達していない場合（Ｎ０）はステップＳ４０３に移行する。
【００６２】
ステップＳ４０２では、端末機Ｍ向けに容器４０１が満杯となる４日前を予測する旨の通知処理を実行する。図１１は、通知処理（４日前）の通知例を示す模式図である。図１１に示すように、記憶部に登録されているユーザーの電子メールアドレスに、宛名、送信元となるシート回収装置１０及び管理番号、容器４０１が満杯となる４日前である、すなわち、４日後は回収予定日である旨が明示された電子メールＥが作成される。そして、作成された電子メールＥはユーザーの端末機Ｍに通知（送信）される。これにより、ユーザーは、容器４０１にかかるシートＰの回収予定日を知ることができ、作業効率を高めることができる。なお、電子メールＥの内容は、適宜設定することができる。
【００６３】
また、ステップＳ４０３に移行した場合、容器４０１が満杯に対して９０％に達したか否かを判断する。図１２は、通知処理（９０％）を示す模式図である。図１２に示すように、計測部２２０によって取得された計測データ（図中の「黒三角」）を蓄積する蓄積部１２１の経過情報に基づいて判断する。また、計測データ（図中の「黒三角」）は経過時間とともに蓄積されていくため、単回帰分析に基づく予想線Ｔ’の傾きも変化していく。図１２の例では、満杯となる日から４日前の予測通知に用いられた予想線Ｔ’（図１０参照）よりも傾きが大きくなっている。これは、容器４０１におけるシートＰの収容量の伸び率がそれまでの経過時間にかかる収容量の伸び率よりも高くなったためである。そして、容器４０１が満杯に対して９０％に達した場合（ＹＥＳ）は、ステップＳ４０４に移行し、容器４０１が満杯に対して９０％に達していない場合（Ｎ０）はステップＳ４０１に移行し、以降、所定の指示があるまでループ処理を行う。
【００６４】
ステップＳ４０４では、端末機Ｍ向けに容器４０１が満杯の９０％である旨の通知処理を実行する。図１３は、通知処理（９０％）の通知例を示す模式図である。図１３に示すように、記憶部に登録されているユーザーの電子メールアドレスに、宛名、送信元となるシート回収装置１０及び管理番号、容器４０１の収容量が９０％である旨が明示された電子メールＥが作成される。また、現時点における新たな回収予定日時も電子メールＥに作成される。そして、作成された電子メールＥはユーザーの端末機Ｍに通知（送信）される。これにより、ユーザーは、容器４０１におけるシートＰの収容量の状況とともにシートＰの新たな回収予定日時を知ることができ、作業効率を高めることができる。
【００６５】
また、図８に戻り、ステップＳ３０１において容器４０１が満杯であるか否かを判断する。図１４は、通知処理（１００％）を示す模式図である。図１４に示すように、計測部２２０によって取得された計測データ（図中の「黒三角」）に基づいて、容器４０１が満杯（１００％）に達した場合（ＹＥＳ）は、ステップＳ３０２に移行する。
【００６６】
ステップＳ３０２では、端末機Ｍ向けに容器４０１が満杯である旨の通知処理を実行する。図１５は、通知処理（満杯）の通知例を示す模式図である。図１５に示すように、宛名、送信元となるシート回収装置１０及び管理番号、容器４０１の収容量が満杯であり、シートＰの回収要である旨が明示された電子メールＥが作成される。そして、作成された電子メールＥは記憶部に登録されているユーザーの電子メールアドレスを持つユーザーの端末機Ｍに通知（送信）される。これにより、ユーザーは、容器４０１におけるシートＰの回収作業を行うことができる。
【００６７】
以上、上記実施形態によれば、以下の効果を得ることができる。
【００６８】
トレー２４０から搬送されたシートＰは、種別検出部２１０で検出された検出データに基づいて種別が特定され、シートＰの種別毎に配置された各容器３０１，４０１，５０１に収容される。これにより、ユーザーが種別毎にシートＰを分別する作業が省かれる。また、誤分別の発生を防止することができる。
さらに、シートＰの回収日時を予測した通知（電子メールＥ）等が、シート回収装置１０からユーザーの端末機Ｍに送信されるため、ユーザーは、容器３０１，４０１，５０１におけるシートＰの収容量の状況や回収タイミングを知ることができ、作業負担を低減させることができる。
【００６９】
（第２実施形態）
次に、第２実施形態について説明する。図１６はシート回収装置の構成を示す概略図であり、図１７はシート回収装置の制御部の構成を示すブロック図である。なお、第１実施形態では、３種類の種別のシートＰに対して、３個の容器３０１，４０１，５０１を配置し、３種類のシートＰをトレー２４０から搬送させ、シートＰの種別毎に各容器３０１，４０１，５０１に収容させる場合の構成であったが、本実施形態では、３種類のシートＰに対して、シートＰの種別数よりも多い４個以上の容器を配置させ、シートＰの種別毎に収容する容器の個数を割り当てる場合の構成について説明する。
【００７０】
図１６に示すように、シート回収装置１０ａは、シートＰが載置されるトレー２４０と、トレー２４０からシートＰを搬送する搬送部２３０と、搬送されるシートＰの種別を検出する種別検出部２１０と、種別毎にシートＰを収容する複数の容器３０１，３０２，３０３，４０１，４０２，５０１（本実施形態では６個）と、各容器３０１，３０２，３０３，４０１，４０２，５０１に設けられた計測部２２０と、制御部１００ａ（図１７参照）等を備えている。なお、トレー２４０、搬送部２３０、種別検出部２１０及び計測部２２０の構成は、第１実施形態の構成と同様なので説明を省略する。また、容器３０２，３０３，４０２の構成についても第１実施形態にかかる容器３０１，４０１，５０１と同様なので説明を省略する。
【００７１】
制御部１００ａは、図１７に示すように、制御プログラム等が記憶された記憶部１２０と、制御プログラムを実行して各部を制御するＣＰＵ１１０ａと、通信部１３０と、入力部１４０と、表示部１４１と、搬送駆動部１５０と、計時機能部１６０等を備えている。さらに、本実施形態では、ＣＰＵ１１０ａに割り当て部１１４を備えている。なお、割り当て部１１４以外の構成は、第１実施形態の構成と同様なので説明を省略する。
【００７２】
割り当て部１１４は、蓄積部１２１に蓄積された経過情報に基づいて、複数の容器３０１，３０２，３０３，４０１，４０２，５０１のそれぞれが収容するシートＰの種別を割り当てる。以下、容器の割り当て方法について説明する。図１８は、容器の割り当て方法を説明する説明図である。具体的には、初期化処理した後、シートＰの種別ごと（本実施形態では種別Ａ，Ｂ，Ｃの３種類）の収容量の経過情報（図中の「○」は種別Ａ、「△」は種別Ｂ、「□」は種別Ｃ）の例を示したものである。なお、これらの情報は、計測部２２０の計測データに基づき蓄積部１２１で蓄積される。
【００７３】
そして、割り当て部１１４では、蓄積部１２１の経過情報に基づき、単回帰分析等を利用して、種別ＡのシートＰに対応する一次関数の単回帰直線である予想線Ｔａを算出する。また、同様にして種別ＢのシートＰに対応する一次関数の単回帰直線である予想線Ｔｂを算出し、種別ＣのシートＰに対応する一次関数の単回帰直線である予想線Ｔｃを算出する。そして、それぞれの単回帰直線の傾きの割合に応じて、収容する容器の個数を割り当てる。本実施形態の例では、種別Ａの予想線Ｔａの傾きと、種別Ｂの予想線Ｔｂの傾きと、種別Ｃの予想線Ｔｃの傾きの比率は、３：２：１である。従って、６個の容器３０１，３０２，３０３，４０１，４０２，５０１のうち、種別ＡのシートＰに対して３個の容器３０１，３０２，３０３を割り当て、種別ＢのシートＰに対して２個の容器４０１，４０２を割り当て、種別ＣのシートＰに対して１個の容器５０１を割り当てる。
【００７４】
次に、通知処理方法及び容器の切り換え方法について説明する。図１９は収容量に応じた通知処理を示すフローチャートである。
【００７５】
図１９に示すように、ステップＳ１００において分別処理（図４参照）が行われる中で、収容量に応じた通知処理が行われる。そして、ステップＳ６０１において容器３０１（４０１，５０１）が満杯であるか否かを判断する。具体的には、シートＰの蓄積処理から得られた経過情報に基づいて判断される。そして、満杯である場合にはステップＳ６０２に移行し、満杯でない場合（ＮＯ）はステップＳ４００に移行し、満杯予測の通知処理を行う。
【００７６】
次いで、ステップＳ６０２では、他の容器があるか否かを判断する。例えば、種別ＢのシートＰの場合、容器４０１が満杯となった場合でも他の容器４０２がある。この場合、他の容器があると判断（ＹＥＳ）し、ステップＳ６０３に移行し、ステップＳ６０３において、搬送部２３０を制御し、他の容器にシートＰを収容させる。なお、ステップＳ６０２において、他の容器がないと判断した場合（ＮＯ）は、ステップＳ６０４に移行し、端末機Ｍ向けに容器が満杯である旨の通知処理を実行する。
【００７７】
以上、上記実施形態によれば、以下の効果を得ることができる。
【００７８】
シートＰの種別ごとの収容量に応じて適切に容器３０１，３０２，３０３，４０１，４０２，５０１の数が割り当てられるため、シートＰの収容を効率良く行うことができる。
【００７９】
（第３実施形態）
次に、第３実施形態について説明する。なお、本実施形態では、ホスト装置を含むシート回収システムの形態について説明する。本実施形態のシート回収システムは、シート回収装置と、シート回収装置に接続されたホスト装置と、を有するシート回収システムであって、シート回収装置は、シートの種別を判別する判別部と、シートを収容する複数の容器と、判別部による判別結果に基づいて、複数の容器の中からいずれか一の容器にシートを搬送する搬送部と、を有し、ホスト装置は、容器へのシートの収容量の経過情報を蓄積する蓄積部と、経過情報に基づいて容器に収容されたシートの収容量が第１所定量に達する時期を予測し、当該予測した時期を端末機へ通知する通知部と、を有するシステムである。
【００８０】
図２０は、シート回収システムの構成を示す概略図である。図２０に示すように、シート回収システム１０００は、シート回収装置１０ｂと、シート回収装置１０ｂに通信可能に接続されたホスト装置としてのサーバー装置９００と、を有している。シート回収装置１０ｂとサーバー装置９００とは通信回路８００を介して通信可能に接続されている。また、ユーザーの端末機Ｍが通信回路８００を介してサーバー装置９００に通信可能に接続されている。なお、本実施形態のシート回収システム１０００では、一つ（１台）のシート回収装置１０ｂが通信回路８００に接続された例を示しているが、この構成に限定されず、複数のシート回収装置１０ｂが通信回路８００に接続され、各シート回収装置１０ｂがサーバー装置９００と通信可能な構成であってもよい。また、端末機Ｍも同様にして複数の端末機Ｍが通信回路８００に接続可能な構成である。
【００８１】
シート回収装置１０ｂは、制御部１００ｂと、制御部１００ｂに接続された種別検出部２１０、計測部２２０、搬送部２３０等を備えている。なお、種別検出部２１０、計測部２２０及び搬送部２３０等の構成は第１実施形態の構成と同様なので説明を省略する（図１参照）。
【００８２】
制御部１００ｂは、制御プログラム等が記憶された記憶部１２０ｂと、制御プログラムを実行して各部を制御するＣＰＵ１１０ｂと、通信部１３０と、入力部１４０と、表示部１４１と、搬送駆動部１５０と、計時機能部１６０等を備えている。なお、各部の構成は、第１実施形態と同様なので説明を省力する。
【００８３】
サーバー装置９００は、蓄積部９０１と通知部９０２を備えている。蓄積部９０１は、容器へのシートＰの収容量の経過情報を蓄積するものであり、詳細は第１実施形態の蓄積部１２１の構成と同様である。通知部９０２は、蓄積部９０１の経過情報に基づいて容器に収容されたシートＰの収容量が第１所定量に達する時期を予測し、当該予測した時期を端末機Ｍへ通知するものである。従って、第１実施形態の通知処理では、シート回収装置１０が電子メールを作成して端末機Ｍに対して電子メールＥを送信したが、本実施形態では、シート回収装置１０ｂの指示に基づいて、サーバー装置９００の通知部９０２から端末機Ｍに対して電子メールＥが送信される。なお、その他の詳細な通知処理の内容は、第１実施形態と同様なので説明を省略する。
【００８４】
以上、上記実施形態によれば、以下の効果を得ることができる。
【００８５】
第１実施形態と同様にして、ユーザーが種別毎にシートＰを分別する作業を省き、誤分別の発生を防止することができる。また、シートＰの回収日時等を予測した通知（電子メールＥ）が、サーバー装置９００からユーザーの端末機Ｍに送信されるため、ユーザーは、容器３０１，４０１，５０１におけるシートＰの収容量の状況や回収タイミングを知ることができ、作業負担を低減させることができる。
さらに、サーバー装置９００に蓄積部９０１や通知部９０２が配置されるため、シート回収装置１０ｂの構成を簡略化することができる。
【００８６】
本発明は上述した実施形態に限定されず、上述した実施形態に種々の変更や改良などを加えることが可能である。変形例を以下に述べる。
【００８７】
（変形例１）上記実施形態では、シートＰの収容量をシートＰの枚数としたが、これに限定されない。例えば、シートＰの収容量を重量としてもよい。この場合、各容器３０１，４０１，５０１に重量を計測する計測部２２０を設置すればよい。このようにしても、上記同様の効果を得ることができる。
【００８８】
（変形例２）上記実施形態にかかる通知処理では、回収日時等の内容を端末機Ｍに対して電子メールＥを送信する構成としたが、これに限定されない。例えば、通知処理において端末機Ｍのスケジューラーに回収の予測日時を入力するように通知する構成であってもよい。このようにすれば、ユーザーは電子メールＥ送信の都度、回収日時等を確認する必要が無くなり、作業効率を向上させることができる。
【００８９】
（変形例３）上記実施形態では、シートＰを種別毎に分別して容器３０１，４０１，５０１に収容して回収する構成であるが、シートＰの種別の判別において、リサイクルの回収に適したシートＰと、リサイクルの回収に適さないシートＰと、に分別する構成であってもよい。このようにしても、ユーザーの誤分別の発生を低減することができる。
【符号の説明】
【００９０】
１０，１０ａ，１０ｂ…シート回収装置、１００，１００ａ，１００ｂ…制御部、１１０，１１０ａ，１１０ｂ…ＣＰＵ、１１１…判断部、１１２…通知部、１１３…初期化部、１１４…割り当て部、１２１…蓄積部、１６０…計時機能部、２１０…種別検出部、２２０…計測部、２３０…搬送部、２３０ａ…ピックアップローラー、２３０ｂ…ローラー対、３０１，３０２，３０３，４０１，４０２，５０１…容器、８００…通信回路、９００…ホスト装置としてのサーバー装置、９０１…蓄積部、９０２…通知部、１０００…シート回収システム、Ｐ…シート。
【図１】
2017145727.tif 000003
【図２】
2017145727.tif 000004
【図３】
2017145727.tif 000005
【図４】
2017145727.tif 000006
【図５】
2017145727.tif 000007
【図６】
2017145727.tif 000008
【図７】
2017145727.tif 000009
【図８】
2017145727.tif 000010
【図９】
2017145727.tif 000011
【図１０】
2017145727.tif 000012
【図１１】
2017145727.tif 000013
【図１２】
2017145727.tif 000014
【図１３】
2017145727.tif 000015
【図１４】
2017145727.tif 000016
【図１５】
2017145727.tif 000017
【図１６】
2017145727.tif 000018
【図１７】
2017145727.tif 000019
【図１８】
2017145727.tif 000020
【図１９】
2017145727.tif 000021
【図２０】
2017145727.tif 000022
【国際調査報告】
2017145727.tif 000023
2017145727.tif 000024